【事件の表示】
　特許第２９０９９５３号「引出しの化粧用前面板の取付構造」の請求項１ないし６に係る特許に対する特許異議の申立てについて、次のとおり決定する。
【結　論】
　特許第２９０９９５３号の請求項１ないし６に係る特許を維持する。
【理　由】
１．本件発明
　本件特許第２９０９９５３号（平成６年１１月１１日出願、平成１１年４月９日設定登録）の請求項１ないし６に係る発明は、その特許請求の範囲の請求項１ないし６に記載された以下のとおりのものである（以下、本件発明１ないし６という）。
　【請求項１】箱状引出し本体の前板部の両端に左右に延出され、且つ、前方に開口された凹部を有する鍔部を付設し、該左右夫々の鍔部の凹部内に、左右夫々に独立した位置調整用補助板を内在させることによって、鍔部と化粧用前面板の間に位置調整用補助板を介在させ、該補助板を化粧用前面板に固定すると共に、鍔部にビス直径より大きく穿設された位置調整用孔部を挿通して鍔部の裏面からビス止め手段によって箱状引出し本体と位置調整用補助板が固定されてなることを特徴とする引出しの化粧用前面板の取付構造。
　【請求項２】位置調整用補助板が、螺合手段又は嵌合手段によって化粧用前面板に固定されてなる請求項１に記載の引出しの化粧用前面板の取付構造。
　【請求項３】箱状引出し本体の前板部の両端に左右に延出された鍔部を付設し、該左右夫々の鍔部と化粧用前面板の間に位置調整用補助板を介在させ、該補助板を木ねじを用いた螺合手段によって化粧用前面板に固定し、且つ、位置調整用補助板を化粧用前面板に固定する際に、箱状引出し本体の前板部の両端に付設された鍔部の裏面から木ねじ止め作業を行うための該木ねじ頭部より大きい固定作業用孔部が、該鍔部に穿設され、更に、鍔部にビス直径より大きく穿設された位置調整用孔部を挿通して鍔部の裏面からビス止め手段によって箱状引出し本体と位置調整用補助板が固定されてなることを特徴とする引出しの化粧用前面板の取付構造。
　【請求項４】ビス止め手段によって箱状引出し本体と固定される位置調整用補助板のビス止め部位に、雌ねじ機構が設けられてなる請求項１又は３に記載の引出しの化粧用前面板の取付構造。
　【請求項５】位置調整用補助板と箱状引出し本体の鍔部の接合面に滑り防止処置が施されてなる請求項１又は３に記載の引出しの化粧用前面板の取付構造。
　【請求項６】　ビス止め手段によって箱状引出し本体と位置調整用補助板を固定するビス止めの方向が、箱状引出し本体の鍔部の裏面から位置調整用補助板に至るに従って左右中央寄りの内側に傾斜してなる請求項１又は３に記載の引出しの化粧用前面板の取付構造。
２．申立ての理由の概要
　特許異議申立人サンウエーブ工業株式会社は、証拠として甲第１ないし３号証を提出して、本件発明１ないし６は、本件発明の出願前に頒布された甲第１号証（実願平２−４０１９６４号（実開平４−９１１４０号）のマイクロフィルム ）、甲第２号証（実願平３−５１３２６号（実開平５−４９３５号）のＣＤ−ＲＯＭ）、甲第３号証（実願昭６０−１３２４１９号（実開昭６２−４０９４５号）のマイクロフィルム）に基づいて、当業者が容易に発明をすることができたものであり、特許法第２９条第２項の規定により特許を受けることができないものであるから、取り消されるべきものであると主張している。
３．特許異議申立人の提出した甲各号証物に記載された発明
（１）甲第１号証（実願平２−４０１９６４号（実開平４−９１１４０号）のマイクロフィルム ）には、「引出し」に関する発明が記載されており、
　「【実施例】この考案の引出しの一実施例を図１に基づいて説明する。図１は引出し１の斜視図である。この引出し１は、化粧前板２に引出し本体３を位置調整自在に一対のＬ字形金具４で固定したものである。なお、図１では片方のＬ字形金具４のみ図示する。この一対のＬ字形金具４による化粧前板２への引出し本体３の固定は、各Ｌ字形金具４の一片に設けた横長孔４ａからスプリングワッシャーを介在させてタッピングネジ５をねじ込んで化粧前板２に各Ｌ字形金具４を固定した後、この一対のＬ字形金具４の各々の他片に設けた縦長溝４ｂから同様にスプリングワッシャーを介在させてタッピングネジ６をねじ込み、一対のＬ字形金具４で側板３ａを狭着するようにして引出し本体３を固定する。このようにして構成した引出し１は、一対のＬ字形金具４の一片に設けた横長孔４ａにねじ込んだタッピングネジ５を緩めることにより、一対のＬ形金具４およびこの一対のＬ字形金具４に固定された引出し本体３を、横長孔４ａの長さ横方向に位置調整することができる。また、一対のＬ字形金具４の各々の他片に設けた縦長溝４ｂにねじ込んだタッピングネジ６を緩めることにより、引出し本体３を縦長溝４ｂの長さ縦方向に位置調整することができる。このように横長孔４ａで一対のＬ字形金具４を化粧前板２に固定し、この一対のＬ字形金具４の各々の他片に設けた縦長溝４ｂで引出し本体３を固定することにより、一対のＬ形金具４およびこの一対のＬ字形金具４に固定された引出し本体３を、横長孔４ａの長さ横方向に位置調整することができるとともに、引出し本体３を縦長溝４ｂの長さ縦方向に位置調整することができるので、化粧前板２の裏面に固定する引出し本体３の位置決め精度を高めることができる。また、一度ねじ込んだタッピングネジ５，６を緩めて一対のＬ字形金具４および引出し本体３の固定状態を解き、縦横方向に引出し本体３の微調整を行い再度固定し直すことができる。」（段落【０００７】〜【００１１】）
と、図１とともに記載されている。
　したがって、甲第１号証には、引出し本体３と化粧前板２を一対のＬ字形金具４を介して位置調整自在に固定する引出しであって、引出し本体３の前板部の両端部に左右に延出する片を有するＬ字形金具４を配設し、かつ、該Ｌ字形金具４が該片には、横長孔４ａが形成されている引出し、が記載されていると認められる。
（２）甲第２号証（実願平３−５１３２６号（実開平５−４９３５号）のＣＤ−ＲＯＭ）には、「引出しの化粧板調整部材」に関する発明が記載されており、
「次に図１１乃至図１３はこの考案の第３の実施例を示す。上記各例は前枠１４と化粧板１６とが木質系の場合を示したが、この例は少なくとも前枠１４が金属やプラスチックで形成される一例である。前枠１４の表面側には断面コ字形の取付部１４ｃが形成され、取付部１４ｃの中央部位にはキャップ部材４５で封口される操作用孔１４ｄが形成されている。化粧板調整部材４６，４６には、前枠１４の取付部１４ｃに止めねじ４４，４４で固定される後方ベース部材４７と、化粧板１６の裏面に止めねじ４８，４８で固定される前方ベース部材４９と、前方ベース部材４９に上下方向にスライド自在に設けられるとともに後方ベース部材４７に左右方向に移動可能に係合されるスライダ５０が備えられている。符号１４ｅ，１４ｅは止めねじ４４の挿通孔を示し、符号４９ａ，４９ａは止めねじ４８の挿通孔を示す。スライダ５０には、上下方向に長穴５０ａが形成されており、この長穴５０ａには上下調整を行う調整ねじ５１が係合されている。符号５０ｂは調整ねじ５１の頭部の収容凹部を示す。前方ベース部材４９には調整ねじ５１が螺合するねじ孔４９ｂが形成されており、調整ねじ５１の操作で前方ベース部材４９を任意の上下位置でスライダ５０に固定できるようになっている。また、スライダ５０には、前方ベース部材４９に対するスライド案内片５０ｃ，５０ｃが形成されているとともに、前後調整を行う調整ねじ５２と左右調整を行う調整ねじ５３に対するねじ孔５０ｄ，５０ｅが形成されている。符号５０ｆは後方ベース部材４７に対する係合凹部を示す。後方ベース部材４７には、止めねじ４４が螺合するねじ孔４７ａ，４７ａが形成されているとともに、スライダ５０の係合凹部５０ｆに対応する係合凸部４７ｂが形成されている。係合凸部４７ｂには、前後調整の調整ねじ５２が係合する長穴４７ｃと、調整ねじ５１の操作用孔４７ｄと、左右調整の調整ねじ５３が係合する長穴４７ｅが形成されており、長穴４７ｃの一端には調整ねじ５２の頭部を挿通する切欠部４７ｆが連設されている。調整ねじ５２は、係合凸部４７ｂの裏面に当接する頭部５２ａに加えて表面に密接する支持部５２ｂを有している。化粧板１６を上下にずらす場合には、調整ねじ５１を緩めてスライダ５０に対する前方ベース部材４９の位置を所定寸法ずらした後、調整ねじ５１を締め付ける。左右にずらす場合には、調整ねじ５３を緩めて後方ベース部材４７に対するスライダ５０の位置を所定寸法ずらした後、調整ねじ５３を締め付ける。また、化粧板１６を前後にずらす場合には、調整ねじ５３を緩めて調整ねじ５２を操作し、後方ベース部材４７に対するスライダ５０の間隔を調整する。調整後調整ねじ５３を締め付けて固定する。この例において調整ねじ５２，５３は、後方ベース部材４７に対するスライダ５０の固定を兼務する。」（段落【００２７】〜【００３１】）
と第１１ないし１３図とともに記載されている。
　したがって、甲第２号証には、引出し４の前枠１４と化粧板１６を化粧板調整部材４６を介して調整自在に固定する取付構造が記載されており、化粧板調整部材４６は前枠１４に固定される後方ベース部材４７と化粧板１６に固定される前方ベース部材４９と後方ベース部材４７と前方ベース部材４９との間のスライダ５０から構成され、スライダ５０（本件発明１ないし６の位置調整用補助部板に相当）は調整ネジ５１によって前方ベース部材４９（化粧板１６とともに本件発明１ないし６の化粧用前面板に相当）に固定されるとともに、後方ベース部材４７には調整ネジ５１頭部より大きい操作用孔４７ｄが設けられ、かつ、後方ベース部材４７（前枠１４とともに本件発明１ないし６の引出し本体に相当）に調整ネジ５３の直径より大きく穿設された長孔４７ｅを挿通して後方カバー部材４７の裏側から調整ネジ５３によって固定されていると認められる。
（３）甲第３号証（実願昭６０−１３２４１９号（実開昭６２−４０９４５号）のマイクロフィルム）には、「抽斗の鏡板取付装置」に関する発明が記載されており、
ａ．「（１）底板を有する方形箱状の抽斗本体（１）の前面板（２）に、（中略）受レール部材（４）を前面板（２）の両側から側方へ突出させつつ固定し、該受レール部材（４）の側方突出部分に上方へ向って開放し且締付ネジ（６）のネジ部の直径より大なる幅を有するＵ字状のネジ受孔（４２）を形成すると共に、（中略）掛止レール部材（５）を鏡板（３）の裏面に定着し、掛止レール部材（５）の両側部分に前面板（２）に向って突出する断面┐状のネジ受片（５１）を形成し、該ネジ受片（５１）に締付ネジ（６）を進退自在に螺挿したことを特徴とする抽斗の鏡板取付装置。
　（２）（中略）
（３）互に当接するネジ孔（４２）の周辺とネジ受片（５１）との接触面にスベリ止め模様（４３）（５２）を形成したことを特徴とする実用新案登録請求の範囲第１項、又は第２項記載の取付装置。」（実用新案登録請求の範囲第１、３項）、
ｂ．「掛止レール部材（５）は、下部を後方へ向って断面┐状に折曲して掛止片（５０）を形成した板材からなり、該掛止片（５０）の垂下辺は垂直ではなく若干後方へ向って傾斜した斜辺に形成され、取付ビス（５３）で鏡板（３）の裏面に定着される。」（第５頁第１６〜２０行）
と図面とともに記載されている。
  したがって、甲第３号証には、以下の発明が記載されていると認められる。
　方形箱状の抽斗本体（１）の前面板（２）に受レール部材（４）を前面板（２）の両側から側方へ突出させつつ固定し、前面板（２）の両面から側方へ突出した受レール部材（４）と鏡板（３）との間に掛止レール部材（５）を介在させ、該掛止レール部材（５）を取付ビス（５３）により鏡板（３）に固定し、且つ、前面板（２）の両面から側方へ突出した受レール部材（４）に締付ネジ（６）の直径より大きく設けられたネジ受孔（４２）を挿通して裏面より締付ネジ（６）によって抽斗本体（１）と掛止レール部材（５）が固定されてなる鏡板取付構造。
４．対比・判断
（１）本件発明１と甲第１ないし３号証に記載された発明とを対比すると、本件発明１は「箱状引出し本体の前板部の両端に左右に延出され、且つ、前方に開口された凹部を有する鍔部を付設」することを構成の一部とし、上記凹部内に位置調整用補助板を内在させて引出し本体の鍔部と化粧用前面板との間に位置調整用補助板を介在させるものであるが、甲第１ないし３号証には上記構成について記載も示唆もされていない。
　なお、引出し本体の前板部の両端に左右に延出されている部材として、甲第１号証にはＬ字形金具が、甲第３号証には受レール部材が記載されており、異議申立人は、甲第１号証のＬ字形金具４が鍔部に相当するとしているが、両者とも位置調整用補助板を介在させるために前方に開口する凹部を有する点については何ら記載されておらず、凹部を有する鍔部に相当するものとは認められず、異議申立人の主張は採用できない。
　したがって、本件発明１は甲第１ないし３号証に記載された発明から容易に発明できたものとすることはできない。
（２）本件発明２は、本件発明１を引用して位置調整用補助板が螺合手段又は嵌合手段によって化粧用前面板に固定されてなると限定したものであるから、上記限定された事項について検討するまでもなく、上記（１）に記載したと同じ理由により、本件発明２は甲第１ないし３号証に記載された発明から容易に発明できたものとすることはできない。
（３）本件発明３と甲第３号証に記載された発明とを対比すると、本件発明３の「箱状引出し本体」、「化粧用前面板」、「鍔部」、「位置調整用補助板」、「木ねじ」、「位置調整用孔部」、「ビス止め手段」および「化粧用前面板の取付構造」が甲第３号証に記載された発明の「抽斗本体」、「鏡板」、「前面板の両側から側方へ突出した受レール部材」、「掛止レール部材」、「取付ビス」、「ネジ受孔」、「締付ネジ」および「鏡板取付構造」に相当しているから、両者は、箱状引出し本体の前板部の両端に左右に延出された鍔部を付設し、該左右夫々の鍔部と化粧用前面板の間に位置調整用補助板を介在させ、該補助板を木ねじを用いた螺合手段によって化粧用前面板に固定し、鍔部にビス直径より大きく穿設された位置調整用孔部を挿通して鍔部の裏面からビス止め手段によって箱状引出し本体と位置調整用補助板が固定されてなることを特徴とする引出しの化粧用前面板の取付構造である点で一致しており、下記の点で相違している。
相違点：本件発明３は、位置調整用補助板を化粧用前面板に固定する際に、箱状引出し本体の前板部の両端に付設された鍔部の裏面から木ねじ止め作業を行うための該木ねじ頭部より大きい固定作業用孔部が、該鍔部に穿設されているのに対して、甲第３号証に記載された発明には、取付ビスの頭部より大きい固定作業用孔部について何ら記載されていない点。
　上記相違点について検討すると、本件発明３は、「化粧用前面板の取付位置の調整作業が簡便に実施でき、且つ繰り返して調整を行うことができると共に箱状引出し本体の内側面上にビス頭部が露出することもなく外観体裁上も良好な化粧用前面板の取付構造を提供する」（段落【０００４】参照）という課題を解決するために請求項３に記載した構成としたものであって、そのことによって明細書の発明の効果の項に記載したように、「化粧用前面板の取付位置の調整作業が簡便に実施でき、且つ繰り返して調整を行うことができる。（中略）本発明では鍔部を利用しているため引出し本体の内側面にビス頭部が露出することなく外観体裁上も良好である。（中略）一般に位置調整用補助板は引出し本体に仮取付けしておく方が便宜であることより、（中略）本発明においては前記したように位置調整用補助板を取りはずすことなく鍔部の裏面から固定作業用孔部を通して取付けを行うことができる利点も存する。」（段落【００１８】ないし【００２１】参照）という作用効果を奏するものである。
　一方、甲第３号証に記載された発明の掛止レール部材（本件発明３の位置調整用補助板に相当）は予め取付ビスによって鏡板の中央部分において固定されるものであって、当該掛止レール部材は、本件発明３の鍔部に相当する「前面板の両側から側方へ突出した受レール部材」を介することなく鏡面に固定されるのであるから、鍔部の裏面から位置調整用補助板を固定する本件発明３の固定構造とは基本的に異なるものといえる。
　また、甲第２号証には上記３、（２）に記載したように、スライダ５０（本件発明１ないし６の位置調整用補助部板に相当）は調整ネジ５１によって前方ベース部材４９（化粧板１６とともに本件発明１ないし６の化粧用前面板に相当）に固定されるとともに、後方ベース部材４７には調整ネジ５１頭部より大きい操作用孔４７ｄが設けられ、かつ、後方ベース部材４７（前枠１４とともに本件発明１ないし６の引出し本体に相当）に調整ネジ５３の直径より大きく穿設された長孔４７ｅを挿通して後方カバー部材４７の裏側から調整ネジ５３によって固定されている構造が記載されているものの、甲第２号証に記載されたものも、スライダ５０は本件発明３の鍔部に相当する部材を介して固定されるものではないことから、甲第２号証には、本件発明３の上記相違点に係る構成が記載されているとすることはできない。
　したがって、甲第３号証に記載された発明に甲第２号証に記載されたものを適用する動機付けがない。
　さらに、甲第１号証に記載された発明には、位置調整用補助板について何ら記載されていない。
　したがって、本件発明３は甲第１ないし３号証に記載された発明から容易に発明できたものとすることはできない。
（４）本件発明４は、本件発明１または３を引用して、位置調整用補助板のビス止め部位に雌ねじ機構が設けられてなると限定したものであるから、上記限定された事項について検討するまでもなく、上記（１）または（３）に記載されたと同じ理由により、本件発明４が甲第１ないし３号証に記載された発明から容易に発明できたものとすることはできない。
（５）本件発明５は、本件発明１または３を引用して、位置調整用補助板と箱状引出本体の鍔部の接合面に滑り防止処置が施されてなると限定したものであるから、上記限定された事項について検討するまでもなく、上記（１）または（３）に記載されたと同じ理由により、本件発明５が甲第１ないし３号証に記載された発明から容易に発明できたものとすることはできない。
（６）本件発明６は、本件発明１または３を引用して、ビス止め手段によって箱状引出し本体と位置調整用補助板を固定するビス止めの方向が箱状引出し本体の鍔部の裏面から位置調整用補助板に至るに従って左右中央寄りの内側に傾斜してなると限定したものあるから、上記限定された事項について検討するまでもなく、上記（１）または（３）に記載されたと同じ理由により、本件発明６は甲第１ないし３号証に記載された発明から容易に発明できたものとすることはできない。
５．むすび
　したがって、特許異議申立の理由および証拠によっては本件発明１ないし６の特許を取り消すことはできない。
　また、他に本件発明１ないし６を取り消すべき理由を発見しない。
　よって、結論のとおり決定する。
【異議決定日】
平成１２年１０月１２日（２０００．１０．１２）